(57)【要約】【課題】直動軸受により案内されるタッチパッドを提供する。【解決手段】ボタンアセンブリは、略平坦面で広がる上面を有するタッチパッドであって、上面に対して垂直な押圧の適用に応じて、第１の位置と、第１の位置から変位した第２の位置との間を移動できるタッチパッドを含む。より小さい付加的な押しボタンが、タッチパッドに隣接して配置され得る。サブベゼルは、上面に垂直な直線経路でタッチパッドを案内する直動軸受を保持するキャビティを画定する筐体を含む。直動軸受は、上面に垂直に第１の距離だけ離間した複数の第１の玉軸受及び第２の玉軸受を含む。玉軸受は、軸受外部部材と、ねじで内底部部材に固定された内頂部部材を含む軸受内部部材との間に挟まれ得る。軸受キャリアは、軸受外部部材における溝内に、玉軸受を保持する。【選択図】図３
2019029358.tif 000002
【特許請求の範囲】
【請求項１】
上面を有するタッチパッドであって、前記上面に対して垂直な押圧の適用に応じて、第１の位置と、前記第１の位置から変位した第２の位置との間を移動可能である前記タッチパッドと、
前記タッチパッドに隣接する上側面を画定する筐体であって、前記上側面から前記筐体内に広がるキャビティを画定する前記筐体を含むサブベゼルと、
前記上面に垂直な直線経路で前記タッチパッドを前記第１の位置と前記第２の位置との間を案内するように、かつ、前記タッチパッドが前記直線経路外に移動することを制限し、複数の第１の玉軸受と、前記上面に対して垂直な第１の距離だけ前記第１の玉軸受から離間した複数の第２の玉軸受とを含むように、前記サブベゼルの前記キャビティ内に配置された直動軸受であって、前記玉軸受は、軸受外部部材と軸受内部部材との間に挟まれている、前記直動軸受と、
を備えるボタンアセンブリ。
【請求項２】
前記上面の反対側の底面を画定する底部を備える前記タッチパッドであって、第１のスイッチに係合するとともに前記第１の位置へ前記タッチパッドを付勢するロッドであって、前記底面から略垂直に延びるロッドを備える前記タッチパッドをさらに含む、請求項１に記載のボタンアセンブリ。
【請求項３】
前記軸受内部部材は、前記軸受内部部材を貫通するボアを画定し、前記ロッドは、前記タッチパッドから前記ボアを貫通して延びて、前記第１のスイッチに係合する、請求項２に記載のボタンアセンブリ。
【請求項４】
前記軸受外部部材または前記軸受内部部材のうちの少なくとも１つは、前記上面に垂直に延びる複数の第１の溝を画定し、前記第１の溝のそれぞれは、前記第１の玉軸受のうちの対応する１つを保持及び案内して前記タッチパッドを前記直線経路で案内する、請求項１に記載のボタンアセンブリ。
【請求項５】
前記軸受外部部材または前記軸受内部部材のうちの少なくとも１つは、前記上面に垂直に延びる複数の第２の溝を画定し、前記第２の溝のそれぞれは、前記第２の玉軸受のうちの対応する１つを保持及び案内して前記タッチパッドを前記直線経路で案内する、請求項４に記載のボタンアセンブリ。
【請求項６】
前記軸受外部部材は、軸周りに広がる筒状側壁を含む、請求項１に記載のボタンアセンブリ。
【請求項７】
前記軸受外部部材は、第１の周側面へ外向きにそれぞれ伸びる複数の第１の耳を有する第１のフランジを含み、前記サブベゼルは、軸方向に円周上で延びる複数の第１のＬ字型部材であって、それぞれが前記軸受外部部材の前記第１の耳のうち対応する１つを保持するように構成された前記複数の第１のＬ字型部材を含み、
前記軸受外部部材の前記第１の耳、及び前記サブベゼルの前記第１のＬ字型部材は共に、バヨネット型嵌合として機能し、前記第１の耳を前記第１のＬ字型部材のうちの対応する１つの中に係合させるこれらの間の相対回転により、前記直動軸受を前記サブベゼル内に固定する、
請求項１に記載のボタンアセンブリ。
【請求項８】
前記軸受内部部材は、略杯形を成して、開口上端部と閉塞下端部との間に広がる内頂部部材を含み、
前記軸受内部部材は、略杯形を成して、開口下端部と、前記内頂部部材の前記閉塞下端部に固定された閉塞上端部との間に広がる内底部部材を含む、
請求項１に記載のボタンアセンブリ。
【請求項９】
前記内頂部部材は、前記直動軸受内に前記第１の玉軸受を保持するように、前記開口上端部の周りを半径方向外向きに延びる上部へりを含む、請求項８に記載のボタンアセンブリ。
【請求項１０】
前記内底部部材の前記開口下端部は、前記直動軸受内に前記第２の玉軸受を保持するように、前記開口下端部の半径方向外向きに延びる底部へりを含む、請求項８に記載のボタンアセンブリ。
【請求項１１】
前記直動軸受の前記内頂部部材は、前記閉塞下端部から離れて延びる複数のラッチングタブを画定し、第１のレッジを含む台形端部を画定し、前記第１のレッジは、前記タッチパッド上の対応する第２のレッジに係合し、前記直動軸受上に前記タッチパッドを保持する、請求項８に記載のボタンアセンブリ。
【請求項１２】
前記直動軸受の前記内頂部部材はさらに、複数の第２の耳を含み、前記複数の第２の耳はそれぞれ、半径方向外向きに延びて前記開口上端部に隣接し、それぞれが前記タッチパッドの前記底面における対応する第２のＬ字型部材内にはまり、
前記内頂部部材の前記閉塞下端部は、前記軸受内部部材を回転させて、バヨネット型嵌合により前記第２の耳を前記第２のＬ字型部材に係合させるツールを受けるように、ツール受け部を画定する、
請求項８に記載のボタンアセンブリ。
【請求項１３】
前記軸受外部部材または前記軸受内部部材のうち少なくとも１つは、ポリオキシメチレン（ＰＯＭ）を含む、請求項１に記載のボタンアセンブリ。
【請求項１４】
前記玉軸受を保持するように前記軸受外部部材と前記軸受内部部材との間に配置され、上端部と底端部との間に広がり、前記端部のそれぞれに隣接する複数の切り抜きを画定する軸受キャリアであって、前記切り抜きのそれぞれは、前記玉軸受のうちの対応する１つを保持するＵ字型を成す、前記軸受キャリアをさらに含む請求項１に記載のボタンアセンブリ。
【請求項１５】
前記サブベゼルの前記キャビティは、雌ねじを画定する略円筒状カラーを含み、前記軸受外部部材は、前記直動軸受を前記サブベゼルの前記キャビティ内に固定するように、前記雌ねじに係合する雄ねじを前記軸受外部部材の辺りに画定する、請求項１に記載のボタンアセンブリ。
【請求項１６】
上面を有するタッチパッドであって、前記上面に対して垂直な押圧の適用に応じて、第１の位置と、前記第１の位置から変位した第２の位置との間を移動可能である前記タッチパッドと、
前記上面に垂直な直線経路で前記タッチパッドを前記第１の位置と前記第２の位置との間を案内し、かつ、前記タッチパッドが前記直線経路外に移動することを制限し、複数の第１の玉軸受と、前記上面に対して垂直な第１の距離だけ前記第１の玉軸受から離間した複数の第２の玉軸受とを含む直動軸受であって、前記玉軸受は、軸受外部部材と軸受内部部材との間に挟まれている、前記直動軸受と、
を備えるボタンアセンブリであって、
前記軸受内部部材は、内底部部材に固定された内頂部部材を含み、
前記軸受内部部材は、略杯形を成して、閉塞下端部と開口上端部との間に広がる内頂部部材を含み、
前記内底部部材は、略杯形を成して、開口下端部と、前記内頂部部材の前記閉塞下端部に固定された閉塞上端部との間に広がる、
前記ボタンアセンブリ。
【請求項１７】
前記内頂部部材は、前記直動軸受内に前記第１の玉軸受を保持するように、前記開口上端部の周りを半径方向外向きに延びる上部へりを画定する、請求項１６に記載のボタンアセンブリ。
【請求項１８】
前記内底部部材は、前記直動軸受内に前記第２の玉軸受を保持するように、前記開口下端部の周りを半径方向外向きに延びる底部へりを画定する、請求項１６に記載のボタンアセンブリ。
【発明の詳細な説明】
【背景技術】
【０００１】
今日、電子デバイスで動作を行うための入力デバイスは、数多くの異なる種類が存在する。押されることにより直線的に下方へ移動することができるボタンは、ユーザが直感的に操作できる一般的な種類の入力デバイスである。
【発明の概要】
【発明が解決しようとする課題】
【０００２】
通常のラジオまたはキーボードサイズのボタンよりもはるかに大きい大表面を有するタッチパッドのボタンは従来、特に偏心の押圧力を受けた場合に、直線経路の外側にぐらつきまたは傾きを生じることなく直線的に移動することができないという欠点を有している。より大きいタッチパッドの押しボタンは通常、スロット内を動くリブにより制御及び案内される。リブは、引っかかって動かなくなることもあり得るため、隙間を必要とするが、隙間は、ぐらつき、傾き、がたつきを生じることがあり、これらはそれぞれ、ボタンアセンブリの品質感を阻害し得る。成形公差、プロセス変動、及び摩擦を含む他の要素はそれぞれ、従来のタッチパッドの押しボタンにおいて、ボタン移動の不適切な制御を引き起こし得る。よって、押圧に応じて直線的に移動することが可能でありながら、傾いた及び左右ぐらついた移動を制限して良質感を達成することもできるボタンアセンブリが要望されている。特に、タッチパッドに対応可能であり、通常のラジオまたはキーボードサイズのボタンよりもはるかに大きい表面を有し、コンピュータのマウスパッドのサイズ以上、すなわち約２０ｃｍ×２３ｃｍ以上であり得る、そのようなボタンアセンブリが要望されている。
【課題を解決するための手段】
【０００３】
略平坦面で広がる上面を有するタッチパッドであって、上面に対して垂直な押圧の適用に応じて、第１の位置と、第１の位置から変位した第２の位置との間を移動できるタッチパッドを含むボタンアセンブリが提供される。ボタンアセンブリは、筐体を有するサブベゼルを含み、筐体は、タッチパッドに隣接する上側面を画定し、上側面から筐体内に広がるキャビティを画定する。上面に垂直な直線経路でタッチパッドを第１の位置と第２の位置との間を案内するように、かつ、タッチパッドが直線経路外に移動することを制限し、複数の第１の玉軸受と、上面に対して垂直な第１の距離だけ第１の玉軸受から離間した複数の第２の玉軸受とを含むように、直動軸受が、サブベゼルのキャビティ内に配置され得る。第１の玉軸受及び第２の玉軸受は、軸受外部部材と軸受内部部材との間に挟まれた玉軸受である。
【０００４】
発明を実施するための形態は、以下の図面を参照し、同様の番号は同様のアイテムを指す。
【図面の簡単な説明】
【０００５】
【図１】先行技術のボタンアセンブリの側断面図である。
【図２】先行技術のボタンアセンブリの上断面図である。
【図３】ボタンアセンブリの例示的実施態様の分解組立図である。
【図４】ボタンアセンブリの例示的実施態様の断面斜視図である。
【図５】ボタンアセンブリの例示的実施態様の斜視図である。
【図６】第１の位置のボタンアセンブリの例示的実施態様の側断面図である。
【図７】第２の位置のボタンアセンブリの例示的実施態様の側断面図である。
【図８】例示的実施態様のサブベゼルの上面図である。
【図９】例示的実施態様の直動軸受の側断面図である。
【図１０】例示的実施態様の直動軸受の内頂部部材の斜視図である。
【図１１】例示的実施態様の直動軸受の軸受外部部材の斜視図である。
【図１２】例示的実施態様の直動軸受の軸受キャリアの斜視図である。
【図１３】例示的実施態様のボタンアセンブリの概略側断面図である。
【図１４】本開示に係る直動軸受の代替的実施形態の上面図である。
【図１５】本開示に係る別の代替的実施形態のサブベゼルの下方斜視図である。
【図１６】図１５の代替的実施形態に係る直動軸受の側面図である。
【発明を実施するための形態】
【０００６】
本発明は、下記において添付の図面を参照してより詳細に説明され、本発明の模範的な実施形態が示される。しかしながら、本発明は、数多くの異なる形態で具現化することができるため、本明細書に明記される実施形態に限定されると解釈するべきではない。むしろ、本開示が包括的であり、当業者に本発明の範囲を完全に伝えるように、これらの模範的な実施形態は提供される。本開示の目的のため、「ａｔ  ｌｅａｓｔ  ｏｎｅ  ｏｆ  ｅａｃｈ（それぞれのうちの少なくとも１つ）」は、各文体に従って列挙される要素の任意の組み合わせを意味するように解釈され、これには、列挙される要素のうちの複数の要素の組み合わせが含まれることが理解されよう。例えば、「Ｘ、Ｙ、及びＺのうちの少なくとも１つ」は、Ｘのみ、Ｙのみ、Ｚのみ、または２つ以上の項目Ｘ、Ｙ、及びＺの任意の組み合わせを意味するように解釈される（例えばＸＹＺ、ＸＺ、ＹＺ、Ｘ）。特に記載のない限り、図面及び発明を実施するための形態を通して、同一の図面参照番号は、同一の要素、特徴、及び構造を指すと理解される。明瞭さ、例証、及び便宜のため、これらの要素の相対的な寸法及び描写は、誇張されることもある。特に明言されない限り、２つ以上の異なる位置間を移動することへの言及はいずれも、１つの位置から別の位置への方向に、またはその反対の方向に移動することを含むように解釈されるべきである。
【０００７】
先行技術に係るボタン構造１０が図１〜図２に示され、これには、略平坦面で広がり、複数の案内リブ１４を有するボタンパッド１２が含まれる。複数の案内リブ１４は、ボタンパッド１２から垂直に延び、ボタンパッド１２の下方に位置する定常構造１８の案内スロット１６内に配置される。図２に最もよく示されるように、ボタンパッド１２の略平坦面に対し垂直な所望する直線方向を除いて、各方向のぐらつきを最小化しながらボタンパッド１２が直線的に移動することを可能にするために、対応する案内スロット１６内の案内リブ１４のそれぞれの周りに、各側に約１ｍｍでもよい小さい隙間が求められる。
【０００８】
いくつかの図を通して同様の番号が対応する部分を示す図を参照すると、ボタンアセンブリ２０が開示されている。図３〜図８に最もよく示されるように、ボタンアセンブリ２０は、略平坦面で広がる上面２６を有する平板２４を含むタッチパッド２２を備える。タッチパッド２２は、スマートフォンのタッチスクリーン、またはラップトップコンピュータのトラックパッドの機能と同様に、１つ以上の物理的接触に反応し得る。タッチパッド２２は、物理的に押されることのみで作動可能である基本的な押しボタンとして、代替的に機能し得る。図５に最もよく示されるように、タッチパッド２２の上面２６は、２次元のタッチベース入力を受け取るために、略矩形を成し得る。タッチパッド２２の上面２６はまた、立設周縁部３０を含むことができ、これによりユーザは、タッチベース入力を行うためにタッチパッド２２を使用すると、縁を感じることができる。
【０００９】
図６〜図７に最もよく示されるように、タッチパッド２２は、上面２６に対する垂直な押圧の適用に応じて、第１の位置と、第１の位置から変位した第２の位置との間を移動可能であり得る。タッチパッド２２を第１の位置から移動させるには、所定の差動力を超える押圧が求められ得る。タッチパッド２２はまた、人が自身の指を上面２６上ですべらせることなどによるタッチベース入力を電子信号に変換する電気応答性層３８を、上面２６の反対側に含み得る。タッチパッド２２は、底面４２を画定する底部４０を、上面２６の反対側に含み得る。底部４０はまた、ロッド４４を含み得る。ロッド４４は、底面４２の中央部から閉塞端部４６まで略垂直に延びる略円筒形を成し、タッチパッド２２が第２の位置に移動したことに応じてドームバネ５０を含み得る第１のスイッチ４８に係合し、並びにタッチパッド２２を第１の位置へ付勢する。言い換えると、ボタンアセンブリ２０は、タッチパッド２２上の光またはすべるタッチに応答でき、またタッチパッド２２をその第１の位置からその第２の位置へ下方に移動させるようにより強く押されることにも応答することができる。このようなより強い押下は、例えば、選択コマンド、すなわち従来のコンピュータインターフェースにおけるマウスクリックと同様の機能に該当し得る。
【００１０】
図５に最もよく示されるように、ボタンアセンブリ２０はまた、タッチパッド２２に隣接する１つ以上の押しボタン５２を含み得る。これらはそれぞれ、対応する電気スイッチを作動させるために押下することができる。図に示される模範的な実施形態では、３つの押しボタン５２が存在し得る。押しボタン５２のそれぞれは、対応する第３の印を含むことができ、印は、押しボタン５２に関連付けられたそれぞれの機能を示すために、押しボタン５２のそれぞれで異なり得る。
【００１１】
図３〜図５及び図８に最もよく示されるように、ボタンアセンブリ２０は、サブベゼル５８を含み、サブベゼル５８は、より大きなアセンブリ、例えば車体などに、ボタンアセンブリ２０を固定するために、搭載タブなどの１つ以上の構造を含み得る。図８に示されるように、サブベゼル５８は、上側面６８を画定する略矩形筐体６６に隣接した平坦レッジ６４を含むことができ、平坦レッジ６４は、組み立てられるとタッチパッド２２に隣接する。サブベゼル５８は、キャビティ７０を画定し得る。キャビティ７０は、上側面６８から筐体６６に広がる略円筒形を成し、上側面６８に隣接するスロート７２にも広がり得る。スロート７２はまた、キャビティ７０と同軸の略円筒形を成し、キャビティ７０の径よりも大きい径を有し得る。
【００１２】
図３〜図４に示されるように、ボタンアセンブリ２０は、タッチパッド２２の上面２６に対し垂直な直線経路で押しボタン５２を保持及び案内するために、サブベゼル５８の平坦レッジ６４上に配置されたボタンキャリア７４を含み得る。ボタンアセンブリ２０はまた、上部ベゼル７６を含み得る。上部ベゼル７６は、略環形を成し、タッチパッド２２を囲む略矩形開口部７８を画定する。上部ベゼル７６は、ボタンアセンブリ２０を車体へ固定するために、第１の縁部８２から外向きに、かつサブベゼル５８から上向きに延びる１つ以上のキャッチ８０を含み得る。上部ベゼル７６はまた、複数の第１の平坦部８４を含み得る。複数の第１の平坦部８４は、第１の縁部８２から外向きに延び、タッチパッド２２の上面２６に略平行であり、それぞれが、上部ベゼル７６をボタンキャリア７４の上に配置し固定するために、ボタンキャリア７４の対応する第１の配置ピン９２を受ける第１の配置ホール９０を画定し得る。上部ベゼル７６はさらに、複数の第２の平坦部８６を含み得る。複数の第２の平坦部８６は、第１の縁部８２の反対側の第２の縁部９４から外向きに延び、タッチパッド２２の上面２６に略平行であり、それぞれが、上部ベゼル７６をサブベゼル５８の上に配置し固定するために、サブベゼル５８の対応する第２の配置ピンを受ける第２の配置ホール９６を画定し得る。
【００１３】
弾性材料から成るスイッチマット１０２が、サブベゼル５８に隣接して、タッチパッド２２と平行にタッチパッド２２とは反対側に配置され得る。スイッチマット１０２は、押しボタン５２のうちのいずれかに対する加力に応じて弾力的に変形し、押しボタン５２に対して上向きの付勢力をもたらし得る。押しボタン５２のそれぞれと、スイッチマット１０２の対応するスイッチ部分との間に、アクチュエータ柱１０４が延び得る。スイッチマット１０２はまた、タッチパッド２２をその第１の位置へ上向きに付勢する第１のスイッチ４８のドームバネ５０を含み得る。スイッチマット１０２と隣接して略平行に、サブベゼル５８の反対側に、回路基板１０６が配置され得る。回路基板１０６は、電気応答性層３８と電気通信を行い得る。電気応答性層３８は、回路基板１０６と電気応答性層３８の間に伸びるリボンケーブル１０８を有し、タッチパッド２２に与えられるタッチベース入力を受け取る。回路基板１０６は、複数のＬＥＤ光源を含み得る。複数のＬＥＤ光源は、サブベゼル５８を貫通して延びた対応する光パイプ１１０を通して光を放出し、押しボタン５２のそれぞれを照明し得る。回路基板１０６はまた、押しボタン５２に対応する電気スイッチの全てもしくは一部、及び／またはタッチパッド２２が押下されて第２の位置へ移動したことに応じて、ドームバネ５０により起動される電気スイッチを含み得る。回路基板１０６はまた、タッチパッド２２が第１及び第２の位置の間を可変量移動したことに応答して、例えば線形ポテンショメータなどを使用して、対応する可変電気信号を生成し得ることを理解されたい。下部カバー１１１は、回路基板１０６と隣接して略平行に、スイッチマット１０２の反対側に配置され得、サブベゼル５８に係合するために、並びに回路基板１０６及びスイッチマット１０２をサブベゼル５８と共に保持するために、下部カバー１１１を貫通して延びる複数のねじで固定され得る。図３に示されるように、電気設置接続を提供するために、接地端子１１２が下部カバー１１１に取り付けられ得る。
【００１４】
上面２６に垂直な直線経路でタッチパッド２２を第１の位置と第２の位置との間を案内するために、並びにタッチパッド２２が直線経路外で移動することを制限するために、ボタンアセンブリ２０は、サブベゼル５８のキャビティ７０内に配置された直動軸受１１４を含み得る。直動軸受１１４は、複数の第１の玉軸受１１６及び複数の第２の玉軸受１１８を含み、複数の第２の玉軸受１１８は、上面２６に垂直な第１の距離ｄ１だけ第１の玉軸受１１６から離間する。図に示されるように、ボタンアセンブリ２０は、４つの第１の玉軸受１１６と、４つの第２の玉軸受１１８とを含み得るが、ボタンアセンブリ２０は、任意の数の玉軸受１１６、１１８を含むことができ、第１の玉軸受１１６の数は、第２の玉軸受１１８の数と同じでも、異なっていてもよい。玉軸受１１６、１１８は、ポリオキシメチレン（ＰＯＭ）で形成され得る軸受外部部材１２２と、同様にポリオキシメチレン（ＰＯＭ）で形成され得る軸受内部部材１２４との間に挟まれ得る。軸受内部部材１２４は、ねじでもよい１つ以上の留め具１３０により内底部部材１２８に固定された内頂部部材１２６を含み得る。例えば１つ以上のリベット、クリップ、溶接、接着剤などを含む他の種類の留め具１３０が使用されてもよいことを理解されたい。
【００１５】
図９及び図１１に示されるように、軸受外部部材１２２は、軸Ａの周りに広がり、略円筒状内部表面１３４を画定する筒状側壁１３２を含み得る。略円筒状内部表面１３４は、第１の端部１３８から軸方向に延びて、第１の端部１３８の円周上に一定間隔あいた複数の第１の溝１３６を有し、第１の溝のそれぞれは、軸Ａに平行な第１の玉軸受１１６のうちの対応する１つを受け止め、案内する。筒状側壁１３２はまた、第１のフランジ１４６の反対側の第２の端部１４４から延びて、第２の端部１４４の円周上に一定間隔あいた複数の第２の溝１４２を含み得、第２の溝１４２のそれぞれは、軸Ａに平行な第２の玉軸受１１８のうちの対応する１つを受け止め、案内する。第１のフランジ１４６は、筒状側壁１３２の第１の端部１３８の周りに半径方向外向きに広がり得、第３の配置ピン１４８を画定し得る。第３の配置ピン１４８は、第１のフランジ１４６から軸方向に延びて、内頂部部材１２６における対応するくぼみ（図示せず）に係合する。
【００１６】
図９〜図１０に最もよく示されるように、内頂部部材１２６は、略杯形を成し得、開口上端部１５２と閉塞下端部１５６との間に広がる。閉塞下端部１５６は、内頂部部材１２６を内底部部材１２８と共に固定する留め具１３０を受け入れるために、閉塞下端部１５６を貫通して延びる１つ以上の第１のホール１５８を複数画定し得る。内頂部部材１２６は、第１の玉軸受１１６を保持するために、半径方向外向きに延びる上部へり１６０を画定し得、また、内頂部部材１２６と軸受外部部材１２２との間の相対回転を制限するために、軸受外部部材１２２の第３の配置ピン１４８を受ける第３の配置ホール(図示せず）を画定し得る。内底部部材１２８も同様に、略杯形を成し得、留め具１３０に係合する閉塞上端部１６２と、底部へり１６６を有する開口下端部１６４との間に広がる。底部へり１６６は、第２の玉軸受１１８を保持するために、開口下端部１６４の半径方向外向きに延びる。
【００１７】
図９及び図１２に示されるように、軸受キャリア１６８は、玉軸受１１６、１１８を保持するために、軸受外部部材１２２と軸受内部部材１２４との間に配置され得る。軸受キャリア１６８は、上端部１７０と底端部１７２との間に広がる略筒形を成し得、端部１７０、１７２のそれぞれに隣接する複数の切り抜き１７３を画定し得る。切り抜き１７３のそれぞれは、玉軸受１１６、１１８のうちの対応する１つを保持するために、Ｕ字型を成す。
【００１８】
図９に最もよく示されるように、直動軸受１１４に組み立てられると、内頂部部材１２６及び内底部部材１２８のそれぞれは共に、軸受外部部材１２２内に少なくとも部分的に配置され得、軸Ａに沿ってこれらを貫通するボア１７４を画定し得る。ロッド４４は、タッチパッド２２からボア１７４を貫通して延び、第１のスイッチ４８に係合して、タッチパッド２２を第１の位置へ付勢し、並びに所定の作動力を提供する。
【００１９】
一態様によれば、図３〜図１１に示されるように、ボタンアセンブリ２０は、４つの第１の耳１７６を複数有する軸受外部部材１２２の第１のフランジ１４６を含み得る。４つの第１の耳１７６はそれぞれ、円周上で半径方向外向きに第１の周側面１７８へ延びる。第１の周側面１７８は、サブベゼル５８のスロート７２内にはまるように、軸Ａから略一定の直径を有する。サブベゼル５８のスロート７２は、複数の第１のＬ字型部材１８０を含み得る。複数の第１のＬ字型部材１８０は、軸方向に円周上で延び、それぞれが、軸受外部部材１２２の第１の耳１７６のうちの対応する１つを保持するように構成される。よって、軸受外部部材１２２の第１の耳１７６、及びサブベゼル５８のスロート７２内の第１のＬ字型部材１８０は共に、バヨネット型嵌合として機能し、第１の耳１７６を第１のＬ字型部材１８０のうちの対応する１つの中に係合させるねじり運動を用いて、直動軸受１１４をサブベゼル５８内に固定する。さらに、図８及び図１１に示されるように、第１の耳１７６のうちの１つ以上の耳の第１の周側面１７８は、対応する第２の平面１８４をサブベゼル５８のスロート７２に係合させるように、第１の平面１８２を画定し得る。このようにして、スロート７２は、サブベゼル５８の上側面６８よりも大きく、調節可能な直径を有し得る。
【００２０】
代替的実施形態によれば、図１５〜図１６に示されるように、サブベゼル５８のキャビティ７０は、雌ねじ１９０を画定する略円筒状カラー１８８を含み得、軸受外部部材１２２は、直動軸受１１４をサブベゼル５８のキャビティ７０内に固定するために、雌ねじ１９０に係合する雄ねじ１９２を軸受外部部材１２２の辺りに画定し得る。
【００２１】
一態様によれば、図４及び図１０に最もよく示されるように、第２のフランジ１９４は、開口上端部１５２に隣接する直動軸受１１４の内頂部部材１２６から半径方向外向きに延び、複数の第２の耳１８６を画定し得る。複数の第２の耳１８６はそれぞれ、円周上で半径方向外向きに第２の周側面１９６へ延び得る。第２の周側面１９６は、タッチパッド２２の底面４２における略円形凹部１９８内にはまるように、軸Ａから略一定の直径を有する。複数のラッチングタブ２００はそれぞれ、軸方向に閉塞下端部１５６から離れて第２のフランジ１９４を越えて延び、台形端部２１２を画定し得る。台形端部２１２は第１のレッジ２１４を含み、第１のレッジ２１４は、タッチパッド２２上の対応する第２のレッジ（図示せず）に係合し、直動軸受１１４上にタッチパッド２２を保持する。第２のフランジ１９４はまた、１つ以上の第４の配置ピン２０４を含み得る。第４の配置ピン２０４は、軸方向に上へ延び、タッチパッド２２の底面４２における対応する配置ホール（図示せず）に係合する。
【００２２】
別の代替的実施形態によれば、図１４に示されるように、直動軸受１１４の内頂部部材１２６は、複数の第２の耳１８６を含み得る。複数の第２の耳１８６はそれぞれ、円周上で半径方向外向きに延びて開口上端部１５２に隣接し、それぞれが、タッチパッド２２の底面４２において軸方向に円周上に延びた対応する第２のＬ字型部材（図示せず）内にはまる。内頂部部材１２６の閉塞下端部１５６は、軸受内部部材１２４を回転させて、バヨネット型嵌合により第２の耳１８６を第２のＬ字型部材に係合させるツールを受けるように、例えば星形を成し得るツール受け部２１０を画定し得る。
【００２３】
一態様によれば、図１３に示されるように、本開示のボタンアセンブリ２０は、玉軸受１１６、１１８が自由に軸Ａに対して垂直に移動することができる離間距離ｄｃを含み得る。ボタンアセンブリ２０には、１１．２５ｍｍの第１の距離ｄ１、及び第１の玉軸受１１６とタッチパッド２２の上面２６との間に約８．５ｍｍの第２の距離ｄ２が設けられ得る。またボタンアセンブリ２０は、タッチパッド２２が０．７１３度の最大傾斜角αに傾くことを可能にし得る。これにより、タッチパッド２２は、軸Ａから４０ｍｍの半径距離ｒ離れた側端部の中央で、軸Ａに平行に０．４９ｍｍの上下方向の遊びＰｖを有することが可能となる。タッチパッド２２は、軸Ａに垂直に０．２５ｍｍの左右方向の遊びＰｈを有することも可能となる。軸Ａから４８ｍｍの半径距離ｒ離れたタッチパッド２２の角では、軸Ａに平行に０．５９ｍｍの上下方向の遊びＰｖを有することが可能となる。他の寸法を一定に維持しながら、第１の距離ｄ１を１８．７５ｍｍに増大すると、最大傾斜角αは０．４２８度に低減され、これにより、同一のタッチパッド２２は、軸Ａから４０ｍｍの半径距離ｒ離れた側端部の中央で、０．２９９ｍｍの上下方向の遊びＰｖと、０．２０ｍｍの左右方向の遊びＰｈとを有することが可能となる。上下方向の遊びＰｖ及び左右方向の遊びＰｈの寸法は、それぞれ「上下ぐらつき」及び「左右ぐらつき」としても知られ得る。
【００２４】
明らかに、本発明の多数の変更及び変形は、上記の教示に照らして行うことが可能であり、特に明記がなければ、添付の特許請求の範囲内で実行することができる。
【図１】
2019029358.tif 000003
【図２】
2019029358.tif 000004
【図３】
2019029358.tif 000005
【図４】
2019029358.tif 000006
【図５】
2019029358.tif 000007
【図６】
2019029358.tif 000008
【図７】
2019029358.tif 000009
【図８】
2019029358.tif 000010
【図９】
2019029358.tif 000011
【図１０】
2019029358.tif 000012
【図１１】
2019029358.tif 000013
【図１２】
2019029358.tif 000014
【図１３】
2019029358.tif 000015
【図１４】
2019029358.tif 000016
【図１５】
2019029358.tif 000017
【図１６】
2019029358.tif 000018